【手続補正書】
【提出日】平成19年2月7日(2007.2.7)
【手続補正１】
【補正対象書類名】明細書
【補正対象項目名】特許請求の範囲
【補正方法】変更
【補正の内容】
【特許請求の範囲】
【請求項１】  免疫原性組成物であって、以下：
（ａ）免疫を刺激する量のＮｅｉｓｓｅｒｉａ抗原；および
（ｂ）免疫を刺激する量のアジュバント組成物であって、少なくとも１つのＣＧモチーフを含むオリゴヌクレオチドを含む、組成物、
を含む、組成物。
【請求項２】  請求項１に記載の組成物であって、前記Ｎｅｉｓｓｅｒｉａ抗原が、タンパク質、タンパク質−多糖類、タンパク質−リポ多糖類、多糖類、およびリポ多糖類からなる群より選択される、組成物。
【請求項３】  請求項１〜２のいずれか１項に記載の組成物であって、前記Ｎｅｉｓｓｅｒｉａ抗原が、Ｎｅｉｓｓｅｒｉａ  ｍｅｎｉｎｇｉｔｉｄｉｓにかまたはＮｅｉｓｓｅｒｉａ  ｇｏｎｏｒｒｈｏｅａｅに由来する、組成物。
【請求項４】  請求項３に記載の組成物であって、前記Ｎｅｉｓｓｅｒｉａ抗原が、Ｎｅｉｓｓｅｒｉａ  ｍｅｎｉｎｇｉｔｉｄｉｓ  血清型Ｂペプチドである、組成物。
【請求項５】  請求項４に記載の組成物であって、前記ペプチドが配列番号３１を含む、組成物。
【請求項６】  請求項１〜５のいずれか１項に記載の組成物であって、成分（ｂ）がさらに第２のアジュバントを含む、組成物。
【請求項７】  請求項６に記載の組成物であって、前記第２のアジュバントが油性液滴エマルジョンを含む、組成物。
【請求項８】  請求項７に記載の組成物であって、前記油性液滴エマルジョンが、代謝可能な油および乳化剤を含む、組成物。
【請求項９】  請求項８に記載の組成物であって、ポリオキシプロピレン−ポリオキシエチレンブロックコポリマーが全く存在しない下で存在し、前記油および前記乳化剤が、油性液滴を有する水中油エマルジョンの形態で存在し、その油性液滴の実質的にすべてが直径１ミクロン未満である、組成物。
【請求項１０】  請求項９に記載の組成物であって、前記油が、動物油、不飽和炭化水素、植物油、またはテルペノイドである、組成物。
【請求項１１】  請求項１０に記載の組成物であって、前記テルペノイドがスクアレンである、組成物。
【請求項１２】  請求項８〜１１のいずれか１項に記載の組成物であって、水性媒体中に０．５〜２０体積％の前記油を含む、組成物。
【請求項１３】  請求項８〜１２のいずれか１項に記載の組成物であって、前記乳化剤が、非イオン性洗剤、あるいはポリオキシエチレンソルビタンモノエステル、ポリオキシエチレンソルビタンジエステル、もしくはポリオキシエチレンソルビタントリエステル、またはソルビタンモノエーテル、ソルビタンジエーテル、もしくはソルビタントリエーテルを含む、組成物。
【請求項１４】  請求項８〜１３のいずれか１項に記載の組成物であって、０．０１〜０．５重量％の前記乳化剤を含む、組成物。
【請求項１５】  請求項１〜１４のいずれか１項に記載の組成物であって、別個の免疫刺激剤をさらに含む、組成物。
【請求項１６】  請求項１５に記載の組成物であって、前記免疫刺激剤が、細菌細胞壁成分およびムラミルペプチドからなる群より選択される、組成物。
【請求項１７】  請求項６〜１６のいずれか１項に記載の組成物であって、前記第２のアジュバントが、ミョウバン、不完全フロイントアジュバント（ＩＦＡ）、または完全フロイントアジュバント（ＣＦＡ）を含む、組成物。
【請求項１８】  請求項１〜１７のいずれか１項に記載の組成物であって、前記オリゴヌクレオチドが、少なくとも１つのホスホロチオエート結合を含む、組成物。
【請求項１９】  請求項１〜１８のいずれか１項に記載の組成物であって、前記オリゴヌクレオチドが、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４、配列番号２５、配列番号２６、および配列番号２７からなる群より選択されるヌクレオチド配列を含む、組成物。
【請求項２０】  請求項１〜１９のいずれか１項に記載の組成物であって、前記オリゴヌクレオチドが、ＣＧモチーフを含み、該モチーフが、５’側ですぐに２つのプリンと隣接し、そして３’側ですぐにピリミジンと隣接する、組成物。
【請求項２１】  請求項２０に記載の組成物であって、前記オリゴヌクレオチドが、配列番号１、配列番号２、配列番号３、配列番号７、配列番号８、配列番号９、配列番号１２、配列番号１３、配列番号１９、配列番号２０、配列番号２１、配列番号２２、配列番号２３、配列番号２４、および配列番号２５からなる群より選択されるヌクレオチド配列を含む、組成物。
【請求項２２】  請求項１〜２１のいずれか１項に記載の組成物であって、以下のタンパク質：
・ＷＯ９９／５７２８０に開示されるタンパク質、またはその免疫原性フラグメント；
・ＷＯ９９／３６５４４に開示されるタンパク質、またはその免疫原性フラグメント；
・ＷＯ９９／２４５７８に開示されるタンパク質、またはその免疫原性フラグメント；
・ＷＯ９７／２８２７３に開示されるタンパク質、またはその免疫原性フラグメント；
・ＷＯ９６／２９４１２に開示されるタンパク質、またはその免疫原性フラグメント；
・ＷＯ９５／０３４１３に開示されるタンパク質、またはその免疫原性フラグメント；
・ＷＯ９９／３１１３２に開示されるタンパク質、またはその免疫原性フラグメント；
・ＷＯ９９／５８６８３に開示されるタンパク質、またはその免疫原性フラグメント；
・ＷＯ９９／５５８７３に開示されるタンパク質、またはその免疫原性フラグメント；ならびに／あるいは
・ＧＢ−９９２８１９７．４に開示されるタンパク質、またはその免疫原性フラグメント、
のうちの１つ以上をさらに含む、組成物。
【請求項２３】  ワクチン組成物であって、以下：
ａ）免疫を刺激する量のＮｅｉｓｓｅｒｉａ抗原；および
ｂ）免疫を刺激する量のアジュバント組成物であって、少なくとも１つのＣＧモチーフを含むオリゴヌクレオチドを含む、組成物、
を含む、ワクチン組成物。
【請求項２４】  請求項２３に記載のワクチン組成物であって、成分（ｂ）が、第２のアジュバントをさらに含む、ワクチン組成物。
【請求項２５】  請求項２３または請求項２４に記載のワクチン組成物であって、前記ペプチドが配列番号３１を含む、ワクチン組成物。
【請求項２６】  請求項２３〜２５のいずれか１項に記載のワクチン組成物であって、請求項２〜２１のいずれか１項においてさらに規定されるような、ワクチン組成物。
【請求項２７】  アジュバント組成物であって、以下：
ａ）オリゴヌクレオチドであって、少なくとも１つのＣＧモチーフを含む、オリゴヌクレオチド；および
ｂ）完全フロイントアジュバント、
を含む、組成物。
【請求項２８】  請求項２７に記載の組成物であって、前記オリゴヌクレオチドが、少なくとも１つのホスホロチオエート結合を含む、組成物。
【請求項２９】  請求項２７に記載の組成物であって、前記オリゴヌクレオチドが、配列番号１、配列番号２、配列番号３、配列番号４、配列番号５、配列番号６、配列番号７、配列番号８、配列番号９、配列番号１０、配列番号１１、配列番号１２、配列番号１３、配列番号１４、配列番号１５、配列番号１６、配列番号１７、配列番号１８、配列番号１９、配列番号２０、配列番号２１、配列番号２２、配列番号２３、配列番号２４、配列番号２５、配列番号２６、および配列番号２７からなる群より選択されるヌクレオチド配列を含む、組成物。
【請求項３０】  請求項２７に記載の組成物であって、前記オリゴヌクレオチドがＣＧモチーフを含み、該モチーフが、５’側ですぐ２つのプリンと隣接し、そして３’側ですぐ２つのピリミジンと隣接する、組成物。
【請求項３１】  請求項３０に記載の組成物であって、前記オリゴヌクレオチドが、配列番号１、配列番号２、配列番号３、配列番号７、配列番号８、配列番号９、配列番号１２、配列番号１３、配列番号１９、配列番号２０、配列番号２１、配列番号２２、配列番号２３、配列番号２４、および配列番号２５からなる群より選択されるヌクレオチド配列を含む、組成物。
【請求項３２】  宿主動物において免疫応答を誘導するに有効な量の請求項１〜２２のいずれか１項に記載の組成物。
【請求項３３】  請求項３２に記載の組成物であって、前記宿主動物が哺乳動物である、組成物。
【請求項３４】  Ｎｅｉｓｓｅｒｉａ感染に対して宿主動物を免疫するための、防御応答を誘導するに有効な量の請求項２３〜２６のいずれか１項に記載の組成物。
【請求項３５】  請求項３４に記載の組成物であって、前記宿主動物が哺乳動物である、組成物。
【請求項３６】  請求項３５に記載の組成物であって、前記哺乳動物がヒトである、組成物。
【請求項３７】  Ｎｅｉｓｓｅｒｉａ  ｍｅｎｉｎｇｉｔｉｄｉｓに対して宿主動物を免疫するための、防御応答を誘導するに有効な量の請求項２３〜２６のいずれか１項に記載の組成物であって、前記抗原がＮｅｉｓｓｅｒｉａ  ｍｅｎｉｎｇｉｔｉｄｉｓ  Ｂ群ペプチドである、組成物。
【請求項３８】  請求項３７に記載の組成物であって、前記ペプチドが配列番号３１を含む、組成物。
【請求項３９】  請求項３８に記載の組成物であって、前記宿主動物がヒトである、組成物。
【請求項４０】  薬剤における使用のための、請求項１〜２９のいずれか１項に規定されるような組成物。
【請求項４１】  動物において免疫応答を誘導するための医薬の製造における、請求項１〜３１のいずれか１項に規定されるような組成物の使用。
【請求項４２】  請求項４１に記載の使用であって、前記組成物が請求項１に規定されるような組成物であり、そして前記医薬が動物における防御免疫応答を誘導するためのものである、使用。